(57)【要約】【課題】車両、特に電気自動車またはハイブリッド車両、および車両のエネルギー貯蔵セルを充電する方法を提供する。【解決手段】本発明は、外部電圧源によって車載エネルギー貯蔵セルを充電するための充電装置を有する車両、特に、電気自動車またはハイブリッド車両であって、充電装置が、入力電圧と出力電圧との間の電圧比を設定するためのチャージポンプを有し、チャージポンプが、少なくとも２つの離散的な電圧比を供給する車両を提案する。【選択図】  図１
2018082616.tif 000002
【特許請求の範囲】
【請求項１】
外部電圧源によって車載エネルギー貯蔵セル（２）を充電するための充電装置（３）を有する車両（１）、特に、電気自動車またはハイブリッド車両であって、前記充電装置（３）が、入力電圧（８）と出力電圧（９）との間の電圧比を設定するためのチャージポンプを備え、前記チャージポンプが、異なる電圧比を設定するための少なくとも２つのリンク回路（５）を有することを特徴とする車両（１）。
【請求項２】
前記出力電圧（９）が前記エネルギー貯蔵セル（２）に印加され、かつ、前記エネルギー貯蔵セル（２）が充電されているときに、前記外部電圧源の電圧が、前記入力電圧（８）として前記チャージポンプに印加される請求項１に記載の車両（１）。
【請求項３】
前記チャージポンプが、異なる電圧比を設定するために並列または直列のいずれかに接続することができる２つのリンク回路（５）を有する請求項１または２に記載の車両（１）。
【請求項４】
前記充電装置（３）が、前記電圧比を自動的に設定するための制御装置を有する請求項１〜３のいずれか一項に記載の車両（１）。
【請求項５】
前記チャージポンプが、複数の離散的な電圧比を設定することができるように構成されている請求項１〜４のいずれか一項に記載の車両（１）。
【請求項６】
前記車載エネルギー貯蔵セル（２）が、電気機械に電力を供給するように設けられている請求項１〜５のいずれか一項に記載の車両（１）。
【請求項７】
車載エネルギー貯蔵セル（２）、特に、請求項１〜６のいずれか一項に記載の車両（１）の車載エネルギー貯蔵セル（２）を充電する方法であって、少なくとも２つのリンク回路（５）を有するチャージポンプを用いて、入力電圧（８）と出力電圧（９）との間の電圧比を、複数の離散的な電圧比の間で変える方法。
【発明の詳細な説明】
【技術分野】
【０００１】
本発明は、車両、特に電気自動車またはハイブリッド車両、および車両のエネルギー貯蔵セルを充電する方法に関する。
【背景技術】
【０００２】
電気自動車またはハイブリッド車両は、先行技術からよく知られている。前記車両は通常、電気機械によって駆動され、次に、エネルギー貯蔵セル、例えば高電圧バッテリによって電力が供給される。そのために、エネルギー貯蔵セルは定期的に充電しなければならず、充電の目的でエネルギー貯蔵セルは外部の電源供給装置、例えば充電ステーションに接続される。場合によっては、エネルギー貯蔵セルに十分な充電電圧を供給するために、外部の電源供給装置の電圧を２倍にする倍電圧が必要である。前記倍電圧は、特に充電装置によって行われ、充電装置は、充電時に、エネルギー貯蔵セルと外部の電源供給装置との間に相互接続されている。ここでは、例えば単純なチャージポンプによって、単純な倍電圧を実現することができる。
【０００３】
さらに、充電時に充電電圧を調節することが先行技術から知られている。この種の電圧調節は一般に、ＤＣ電圧コンバータによって行われる。
【発明の概要】
【発明が解決しようとする課題】
【０００４】
したがって、本発明の目的は、可能な限りコンパクト、かつ、軽量な充電装置を有する車両であって、単純なチャージポンプを使用して充電する場合よりも効果的にエネルギー貯蔵セルを充電することを可能にする車両を提供することである。
【課題を解決するための手段】
【０００５】
本発明の目的は、外部電圧源によって車載エネルギー貯蔵セルを充電するための充電装置を有する車両、特に、電気自動車またはハイブリッド車両であって、充電装置が、入力電圧と出力電圧との間の電圧比を設定するためのチャージポンプを備え、チャージポンプが、異なる電圧比を設定するための少なくとも２つのリンク回路を有する車両により実現される。
【０００６】
先行技術と比較して、本発明によるチャージポンプは、少なくとも２つのリンク回路を有する。単純なチャージポンプと比較して、本発明によるチャージポンプは、充電時に異なる離散的な電圧比の間で電圧比を変えることができるという利点を有することにより、最適化された充電電圧に適するように入力電圧の少なくとも部分的な調節が可能になり、したがって、充電時間の短縮が実現可能になっている。ＤＣ−ＤＣ電圧コンバータと比較して、本発明によるチャージポンプは、複雑さが軽減され、容易に実現可能であるという利点を有することにより、それに相応して、重量およびコストに関して有利になっている。
【０００７】
外部の電源供給装置は、エネルギー貯蔵セルが電気的に接続された充電ステーションであることが好ましい。この場合、充電装置は、特に、エネルギー貯蔵セルと充電ステーションとの間で相互接続されている。本明細書における充電装置は、車両に組み込まれていることが好ましい。さらに充電装置は、充電時に、入力電圧と出力電圧との間の電圧比を少なくとも２つの電圧比の間で変えるように構成されて設けられている。第１のメッシュおよび第２のメッシュを相互接続することにより出力において倍電圧が実現される単純なチャージポンプと比較して、特に、本発明によるチャージポンプでは、第２のメッシュが少なくとも２つのリンク回路を有するように設けられている。少なくとも２つのリンク回路の互いに対する相互接続の仕方に応じて、第２のメッシュは、充電装置の出力における電圧の形成にそれぞれ寄与する。回路を互いに相互接続するために、スイッチが設けられている。さらに各リンク回路は、ダイオードおよびリンク回路キャパシタを有するように設けられている。本明細書では、それぞれの電圧比の設定に必要な電気エネルギーは、それぞれのリンク回路キャパシタに貯蔵されている。
【０００８】
本発明の有利な実施形態および改良が、従属請求項から、および図面を参照しての説明から明らかになるであろう。
【０００９】
本発明のさらなる実施形態によれば、出力電圧がエネルギー貯蔵セルに印加され、かつ、エネルギー貯蔵セルが充電されているときに、外部の電源供給装置の電圧が、入力電圧としてチャージポンプに印加されるように供給されている。
【００１０】
本発明のさらなる実施形態によれば、チャージポンプが、異なる電圧比を設定するために並列または直列のいずれかに接続することができる２つのリンク回路を有するように設けられている。正確に２つのリンク回路があり、出力電圧が、入力電圧の２倍または入力電圧の１．５倍のいずれかであることが好ましい。２つのリンク回路は、並列または直列に放電することができるだけでなく、理論上は、１つだけを放電して、２つ目は充電したままにすることも可能である。
【００１１】
本発明のさらなる実施形態によれば、充電装置が、電圧比を自動的に設定するための制御装置を有するように設けられている。例えば、制御装置を用いて、充電時に適宜２つの電圧比の間を変えることが可能である。
【００１２】
本発明のさらなる実施形態によれば、チャージポンプが、複数の固定された電圧比を設定できるように構成されて設けられている。リンク回路の数の増加とともに、場合によっては設定され得る電圧比の数を設定することがここでは可能である。リンク回路の数は、用途または個々の車両の要件に適合されていることが好ましい。
【００１３】
本発明のさらなる主題は、車載エネルギー貯蔵セル、特に、本発明による車両の車載エネルギー貯蔵セルを充電する方法であって、複数のリンク回路を有するチャージポンプを用いて、入力電圧と出力電圧の間の電圧比を、複数の固定された電圧比間で変える方法である。
【００１４】
本発明のさらなる詳細、特徴および利点が、図面から、および図面に基づいた以下の好適な実施形態の説明から明らかになるであろう。本明細書では、図面は、本発明の単なる例示的な実施形態を図示するが、それらは本発明の本質的な概念を限定するものではない。
【図面の簡単な説明】
【００１５】
【図１】充電ステーションを本発明の例示的な一実施形態による車両とともに示す。
【図２】図１の車両用のチャージポンプを示す。
【発明を実施するための形態】
【００１６】
別個の図において、同一の部分は、常に同じ参照符号が付されており、したがって、全体にわたって示されていることもあれば、各場合に一度しか言及されないこともある。
【００１７】
図１は、充電ステーション４を本発明の例示的な一実施形態による車両１とともに図示する。ここでは、充電ステーション４は外部電圧源としての機能を果たしており、車両１に組み込まれたエネルギー貯蔵セル２の充電に使用される。前記エネルギー貯蔵セルは、特に、車両を駆動する電気機械用電源としての機能を果たすエネルギー貯蔵セル２である。この種のエネルギー貯蔵セル２を充電するためには、比較的高圧の充電電圧、例えば８００Ｖの充電電圧が必要である。エネルギー貯蔵セル２は、充電されるために充電ステーション４に接続されている。この目的で、車両１はインタフェースを有し、例えばこのインタフェースによって、エネルギー貯蔵セル２は、充電ステーション４に接続される。充電プロセスを可能な限り最良にするために、充電装置３が、車載エネルギー貯蔵セル２と充電ステーション４との間に相互接続されている。これにより、充電ステーション４により供給される電圧が、確実に適切な充電電圧に変換されるようになる。この場合、充電ステーション４によって供給される電圧は、入力電圧８として充電装置３に印加され、充電装置３は、最適化された充電電圧を出力電圧９としてエネルギー貯蔵セル２に供給する。入力電圧８と出力電圧９との間の電圧比を連続的に設定することが望ましい場合、ひいては充電時に充電電圧を最適に調節できるようにする場合には、ＤＣ−ＤＣ電圧コンバータまたはＤＣ−ＤＣコンバータが必要であるが、それらは比較的重量が大きく、設置スペースをふさぎ、購入費用が高価である。しかしながら、充電ステーションによって供給される電圧を単に複製するだけの、具体的には２倍にするだけの単純なチャージポンプは、充電時に充電電圧を調節することができない。
【００１８】
そのため、本発明に従って、少なくとも２つのリンク回路５を有するチャージポンプが提供される。前記リンク回路は、並列または直列のいずれかに接続されることにより、充電時に、異なる離散的な電圧比の間または固定された電圧比の間で電圧比を変えることが可能になっている。その結果、設置スペースをふさぐ、比較的重量が大きいＤＣ−ＤＣ電圧コンバータを用いる必要なしに、比較的単純な回路を利用して、充電時間中にわたって変わる充電電圧を供給することが可能であり、有利である。ここでは、特に、場合によっては設定され得る電圧比の数が、リンク回路５の数の増加とともに増加するようになっている。この場合、リンク回路５の数は、それぞれの用途に適合していることが特に考えられ、その結果、要求に応じて、リンク回路５の数、および全体的な回路の複雑さからバランスの取れた比率を実現することができる。
【００１９】
図２は、図１の車両１用の、２つのリンク回路５を有するチャージポンプの回路図の一例を図示する。ここでは、出力電圧９が、第１のキャパシタ１１および第２のキャパシタ１２を介して変圧されるように与えられる。この場合、第１のキャパシタ１１は第１のメッシュ６の一部であり、第２のキャパシタ１２は第２のメッシュ７の一部である。第２のメッシュ７は、さらには２つのリンク回路５を備え、それらがそれぞれダイオード１４およびリンク回路キャパシタ１０を有する。前記２つのリンク回路５が互いに並列に接続されているか、または直列に接続されているかに応じて、第２のキャパシタ１２の両端で適切な電圧が降下されることになる。開閉可能なスイッチ１３が、リンク回路５を相互接続するために、したがって、充電時に電圧比を変えるために設けられている。言いかえれば、第２のキャパシタ１２の両端の電圧降下は、リンク回路５の互いに対する接続によって決定することができ、その結果、第１のキャパシタ１１および第２のキャパシタ１２によって、全体の電圧を決定する電圧降下を設定することができる。これにより、入力電圧８と出力電圧９との間の電圧比を変えることが可能になる。特に、リンク回路５が直列に接続されると、入力電圧８を２倍にすることができ、リンク回路５が並列に接続されると、入力電圧８の１．５倍に相当する出力電圧９を供給することができる。さらに、回路に設けられているスイッチ１３は、リンク回路キャパシタ１０を充電するために、少なくとも部分的に、定期的に切り替えられるようになっている。
【符号の説明】
【００２０】
１  車両
２  エネルギー貯蔵セル
３  充電装置
５  リンク回路
８  入力電圧
９  出力電圧
【図１】
2018082616.tif 000003
【図２】
2018082616.tif 000004
【外国語明細書】
2018082616000001.pdf